(57)【要約】【課題】本発明は、平面視で略Ｌ字状に形成される熱交換器を熱交換空気の流通方向に沿って複数重ねた熱交換器組立を備え、必然的に形成される段差部における結露の発生を防止する空気調和機の室内ユニットを提供する。【解決手段】複数枚のフィンＦに熱交換パイプが貫通され熱交換空気と熱交換する第１〜第３の熱交換器Ｎａ〜Ｎｃと、これら熱交換器を熱交換空気の流通方向に沿って複数重ねて構成される熱交換器組立１８と、熱交換器組立の短辺部Ｓ端部においてフィン並置方向の長さが熱交換空気の流通方向上流側から下流側に向けて段階的に長くなるように形成される段差部Ｄと、段差部における熱交換空気流通方向の最下流側面に取付けられるシール部２５ｂとを備え、シール部のフィン並置方向の長さＭａは、シール部が取付けられる第１の熱交換器と、この熱交換器よりもひとつ上流側に位置する第２の熱交換器との段差部分の長さＭｂよりも長く形成される。（Ｍａ＞Ｍｂ）【選択図】    図５
2009264705.tif 000002
【特許請求の範囲】
【請求項１】
互いに狭小の間隙を存して並置される複数枚のフィンに、冷媒流路をなす熱交換パイプが貫通されてなり、流通する熱交換空気と熱交換する熱交換器と、
前記熱交換器を、熱交換空気の流通方向に沿って複数重ねて構成される熱交換器組立と、
前記熱交換器組立の少なくとも一方の側端部において、前記熱交換器のフィン並置方向の長さが、熱交換空気の流通方向上流側から下流側に向けて段階的に長くなるように形成される段差部と、
前記段差部における熱交換空気流通方向の最下流側面に取付けられるシール部とを備え、
前記シール部のフィン並置方向の長さは、前記シール部が取付けられる熱交換器と、この熱交換器よりもひとつ上流側に位置する熱交換器との段差部分の長さよりも長く形成される
ことを特徴とする空気調和機の室内ユニット。
【請求項２】
前記段差部は、断面がコ字状に折曲形成される固定体によって覆われることを特徴とする請求項１記載の空気調和機の室内ユニット。
【請求項３】
前記固定体は、最上流側端部を固定する上流側固定部と、最下流側端部を固定する下流側固定部とを有し、
前記シール部は、前記固定体の下流側固定部を構成することを特徴とする請求項２記載の空気調和機の室内ユニット。
【請求項４】
前記熱交換器組立は、平面視で略Ｌ字状に折り曲げ形成されることを特徴とする請求項１ないし請求項３のいずれかに記載の空気調和機の室内ユニット。
【発明の詳細な説明】
【技術分野】
【０００１】
本発明は、たとえば天井梁から吊下げ固定され、吹出しダクトを介して被空調室内へ熱交換空気を吹出す、天井埋込み形のダクト式室内機である空気調和機の室内ユニットに係り、特に熱交換器構成とシール構造の改良に関する。
【背景技術】
【０００２】
［特許文献１］には、吸込み口と吹出し口が設けられたユニット本体と、このユニット本体に収納され伝熱管に所定の間隔を存して重合された多数の板状伝熱フィンを複数段に重ねその一部が湾曲した熱交換器と、この熱交換器に送風する電動ファンと、吹出し口の周囲にベルマウスを備えた、空気調和機の室外機が開示されている。
【０００３】
前記熱交換器は、少なくともその一部に各熱交換器部用として分割された分割フィンを含み、内側段熱交換器部と外側段熱交換器部に向って短く形成される。すなわち、空気調和機の室外機では熱交換器の熱交換面積をより増大すべく、直状に形成される熱交換器を長手方向の中途部で略９０°折曲げ、平面視でＬ字状としている。
【０００４】
そして、この熱交換器を熱交換空気の流通方向に沿って複数（ここでは２列）重ねた熱交換器組立を構成し、熱交換効率の向上を図っている。はじめは互いに同一の長手方向寸法の熱交換器であるので、折曲げ位置と曲率半径を異ならせることで、折曲げ部は勿論のこと、全体的に隙間が出ないよう、互いに密着した状態で重ねることが可能である。
【特許文献１】特開２００３−２７９０７３号公報
【発明の開示】
【発明が解決しようとする課題】
【０００５】
ところで、天井埋込み形の室内ユニットにおいては、単に平板状の熱交換器を傾ける、もしくは平面視で略矩形枠状に成形された熱交換器を搭載していた。  
しかるに、前者構造にあっては、熱交換面積を充分に確保できない。後者構造にあっては、成形に手間がかかってコストに影響を及ぼす。そこで、室外機に用いられる平面視で前記略Ｌ字状に形成される熱交換器を、室内ユニットに採用することが考えられるに至った。
【０００６】
この場合も、熱交換器を熱交換空気の流通方向に沿い複数重ねて熱交換器組立を構成し、所定部位に配置する。なお説明すると、平面視で直状に形成される熱交換器の長手方向の中途部を略９０°に折曲げ、平面視で略Ｌ字状をなす。折曲げ部を境に、長尺の直状部である長辺部と、短尺の直状部である短辺部とから構成される。
【０００７】
各熱交換器の長辺部の端面位置を同一に揃え、長辺部から折曲げ部を介して短辺部の側端部に至るまで全長に亘って互いに密着する。その結果、最も内側熱交換器の短辺部長さが最も長く突出し、外側熱交換器になるにしたがって短辺部長さが短くなる。このように重ねられる熱交換器の短辺部長さの相違から、短辺部端面相互は段差が生じる。
【０００８】
たとえば、３列の熱交換器を重ねて構成した熱交換器組立に熱交換空気を流通させると、短辺部においては、１列のみの熱交換器の短辺部端部のみを流通する空気と、２列の熱交換器の短辺部端部相互を流通する空気と、３列全ての熱交換器の短辺部端部相互を流通する空気とがある。
【０００９】
室外機に前記構成の熱交換器組立を配置した場合、短辺部端部の段差は何らの問題もない。しかしながら、室内ユニットに前記熱交換器組立を配置すると、短辺部端部における段差部を通過した空気の一部は充分に熱交換されない。すなわち、熱交換性能の低下を招くとともに、性能低下や室内ユニット内部における結露発生などの問題が生じる。
【００１０】
本発明は前記事情にもとづきなされたものであり、その目的とするところは、平面視で略Ｌ字状に形成される熱交換器を熱交換空気の流通方向に沿って複数重ねた熱交換器組立を備え、必然的に形成される段差部における結露の発生を防止して快適空調を得られ、性能向上を図れる空気調和機の室内ユニットを提供しようとするものである。
【課題を解決するための手段】
【００１１】
前記目的を満足するため本発明は、互いに狭小の間隙を存して並置される複数枚のフィンに冷媒流路をなす熱交換パイプが貫通され流通する熱交換空気と熱交換する熱交換器と、熱交換器を熱交換空気の流通方向に沿って複数重ねて構成される熱交換器組立と、熱交換器組立の少なくとも一方の側端部において熱交換器のフィン並置方向の長さが熱交換空気の流通方向上流側から下流側に向けて段階的に長くなるように形成される段差部と、段差部における熱交換空気流通方向の最下流側面に取付けられるシール部とを備え、このシール部のフィン並置方向の長さは、シール部が取付けられる熱交換器と、この熱交換器よりもひとつ上流側に位置する熱交換器との段差部分の長さよりも長く形成される。
【発明の効果】
【００１２】
本発明によれば、平面視で略Ｌ字状に形成される熱交換器を熱交換空気の流通方向に沿って複数重ねた熱交換器組立を備え、必然的に形成される段差部における結露の発生を防止して快適空調を得られ、性能向上を図れるという効果を奏する。
【発明を実施するための最良の形態】
【００１３】
以下、本発明の一実施の形態を、図面にもとづいて説明する。  
図１は空気調和機の室内ユニットである、たとえば天井埋込み形のダクト式室内ユニットＫの概略取付け図、図２は室内ユニットＫの概略斜視図である。
【００１４】
図１に示すように、建築物における天井梁１と所定間隔を存して天井板２が設けられ、天井板２の下部には被空調室３が形成される。天井梁１と天井板２との間は、天井懐４と呼ばれている。
【００１５】
天井梁１には複数本の吊下げボルト５の上端部が埋設されていて、それぞれが吊下げ固定される。吊下げボルト５の下端に室内ユニットＫを構成する筐体であるユニット本体７が吊持される。具体的には、ユニット本体７の左右両側部下端隅部にフランジ８が取付け固定されていて、このフランジ８に吊下げボルト５の下端部が挿通される。
【００１６】
一方、吊下げボルト５下端に設けられるねじ部にナット９が螺合され、このナット９でユニット本体７のフランジ８を受ける。したがって、ユニット本体７は、天井板２と天井梁１との間に形成される天井懐４に位置して吊持される。
【００１７】
ユニット本体７の一側部（右側部）には、吸込みダクト１１ｓが接続される吸込み口１０が設けられている。前記吸込みダクト１１ｓの吸込み口１０接続端部とは反対側の端部は、吸込みユニット１３ｓが接続される。
【００１８】
前記吸込みユニット１３ｓは、天井板２上に載設された状態になっていて、天井板２に設けられる開口部に接続される。すなわち、吸込みユニット１３ｓは天井板２から室内に対して開口される天井吸込み口１４ｓを備えていて、この天井吸込み口１４ｓはグリルによって遮蔽される。
【００１９】
ユニット本体７の他側部（左側部）には、ここでは２本の吹出しダクト１１ｄが接続される２つの吹出し口１２が設けられる。前記吸込みダクト１１ｓの吸込み口１０接続端部とは反対側の端部は、吸込みユニット１３ｓが接続される。
【００２０】
前記吹出しユニット１３ｄは、天井板２上に載設された状態になっていて、天井板２に設けられる開口部に接続される。すなわち、吹出しユニット１３ｄは天井板２から室内に対して開口される天井吹出し口１４ｄを備えていて、この天井吹出し口１４ｄはグリルによって遮蔽される。
【００２１】
つぎに、前記室内ユニットＫにおけるユニット本体７の内部構成について説明する。  
図３は、ユニット本体７の概略の横断平面図である。  
ユニット本体７は、正面視と側面視および平面視のいずれも矩形状に形成される筐体であって、図３に示す下側面板１６ａに吸込み口１０が設けられ、前記吸込みダクト１１ｓを介して吸込みユニット１３ｓが接続される。上側面板１６ｂに２つの吹出し口１２が設けられ、前記吹出しダクト１１ｄを介して吹出しユニット１３ｄが接続される。
【００２２】
これら吸込み口１０が設けられる側面板１６ａと、２つの吹出し口１２が設けられる側面板１６ｂの、それぞれ下端両側部に、上述した吊下げボルト５に吊持するためのフランジ８（いずれも図示を省略）が設けられている。  
ユニット本体７内の吸込み口１０と吹出し口１２との間に、３組の熱交換器である第１の熱交換器Ｎａと、第２の熱交換器Ｎｂおよび第３の熱交換器Ｎｃを組合せてなる熱交換器組立１８が収容配置される。熱交換器組立１８は、ユニット本体７底部に設けられるドレン受け皿１９上に載置され、上端部はユニット本体７を構成する天板に近接する。
【００２３】
後述するように、個々の熱交換器Ｎａ〜Ｎｃが平面視で略Ｌ字状に形成されていて、これら熱交換器Ｎａ〜Ｎｃ相互を互いに密着させた状態で組合される熱交換器組立１８も、平面視で略Ｌ字状に形成されることになる。具体的には、折曲げ部Ｒを境に直状長尺部である長辺部Ｌと、直状短尺部である短辺部Ｓとからなる。
【００２４】
なお、前記第１〜第３の熱交換器Ｎａ〜Ｎｃおよび、これら熱交換器Ｎａ〜Ｎｃを組合せた熱交換器組立１８の具体的な構成と、熱交換器組立１８のユニット本体７に対する支持構造については後述する。
【００２５】
前記熱交換器組立１８の長辺部Ｌが吸込み口１０と並行に配置され、この長辺部Ｌと側面板１６ｂとの間に送風機２０が配置される。送風機２０は、軸方向を側面板１６ｂと並行とし両端面から回転軸が突出する二軸のファンモータＦＭと、各回転軸に嵌着される多翼型のファン（図示せず）と、このファンを囲むファンケーシングＫとからなる。
【００２６】
前記多翼型のファンは、回転にともなって軸方向から熱交換空気を吸込み、周方向へ吹出すようになっている。それぞれのファンケーシングＫにおいて、軸方向に沿う両端面にファン吸込み口ａが開口される。また、周方向一部にファン吹出し口が設けられ、ユニット本体７の吹出し口１２と連通する。
【００２７】
つぎに、前記第１〜第３の熱交換器Ｎａ〜Ｎｃと、これら第１〜第３の熱交換器Ｎａ〜Ｎｃを組合せた熱交換器組立１８の具体的な構成と、ユニット本体７に対する支持構造について詳述する。  
図４は組立てられた熱交換器組立１８の斜視図、図５は熱交換器組立１８の一部平面図、図６は熱交換器組立１８のユニット本体７に対する取付け構造を説明する図である。
【００２８】
図４と図６に示す熱交換器組立１８では、最も内側（向こう側）の熱交換器を第１の熱交換器Ｎａ、真ん中の熱交換器を第２の熱交換器Ｎｂ、最も外側（手前側）の熱交換器を第３の熱交換器Ｎｃと呼ぶ。図５では、左側熱交換器が第１の熱交換器Ｎａ、真ん中の熱交換器が第２の熱交換器Ｎｂ、右側熱交換器が第３の熱交換器Ｎｃである。
【００２９】
前記熱交換器組立１８は、第１の熱交換器〜第３の熱交換器Ｎａ〜Ｎｃを熱交換空気の流通方向に沿って重ね合わせた状態で組合される。各熱交換器Ｎａ〜Ｎｃは、所定の間隙を存して並置されるフィンＦに対して熱交換パイプＰが貫通して設けられるフィンチューブタイプである。
【００３０】
前記熱交換パイプＰはＵ字状に曲成され、一側端に位置するフィンＦからＵ字状曲成部が突出し、他側端に位置するフィンＦからＵ字管の両開口端が突出する。複数のＵ字管は上下方向に所定の間隔を存してフィンＦを貫通していて、この一方の開口端部は分配管に接続され、他方の開口端部は分岐集合管に接続される。
【００３１】
したがって、第１〜第３の熱交換器Ｎａ〜Ｎｃのそれぞれを構成する熱交換パイプＰは、全て１本の分配管と分岐集合管に集中して接続されることになる。さらに、分配管と分岐集合管には冷媒管が接続され、図示しない室外ユニット内の圧縮機や室外熱交換器等の冷凍サイクル構成部品に連通する。
【００３２】
このようにして構成される第１〜第３の熱交換器Ｎａ〜Ｎｃは、はじめは平面視で直状に形成される。そして、この長手方向の中途部で略９０°に折曲げられ、平面視で略Ｌ字状をなす。具体的には、図３にも示すように、折曲げ部Ｒを境に、長尺の直状部である長辺部Ｌと、短尺の直状部である短辺部Ｓとから構成されることになる。
【００３３】
第１〜第３の熱交換器Ｎａ〜Ｎｃは、互いに長辺部Ｌの端面位置が同一に揃えられるとともに、長辺部Ｌの側端部から折曲げ部Ｒを介して短辺部Ｓの側端部に至るまで、全長に亘って互いに密着される。
【００３４】
そのために、第１〜第３の熱交換器Ｎａ〜Ｎｃは、長辺部Ｌの端面位置から折曲げ部Ｒが設けられる位置までが、等間隔でズレて形成される。互いの折曲げ部Ｒの曲率半径の中心位置は同一であるが、曲率半径としては互いに異なるとともに、長辺部Ｌの長さおよび短辺部Ｓの長さが異なる。
【００３５】
第１〜第３の熱交換器Ｎａ〜Ｎｃは、互いの長辺部Ｌの端面を揃えて配置されるので、熱交換器組立１８の短辺部Ｓ端部は、第１〜第３の熱交換器Ｎａ〜Ｎｃの順に平面視で段階状に形成される。このような短辺部Ｓの端部を、後述するように「段差部Ｄ」と呼ぶ。
【００３６】
第１〜第３の熱交換器Ｎａ〜Ｎｃにおける長辺部Ｌ端面に、フィンＦよりも厚板で剛性の大きい長辺用端板２２が設けられている。この長辺用端板２２は、長辺部Ｌ端面に重なる片部と、この片部から長辺部Ｌ端面とは直交する方向に突出する片部を備え、平面視でＬ字状に折曲形成される。
【００３７】
一方、熱交換器組立１８が所定の部位に配置された状態で、前記長辺用端板２２の突出片部に重なる面部を備えた熱交取付け板２３がユニット本体７の側面部１６ｃに取付けられる。支持板２３の高さ寸法は、端板２２の高さ寸法と同一であり、かつ突出端縁の高さ方向に離間して、２つの切起し爪からなる掛止部ｂが設けられる。
【００３８】
掛止部ｂの切起し面と熱交取付け板２３の板面との間隔は、熱交換器組立長辺部Ｌに取付けられる長辺用端板２２の板厚よりも僅かに大に形成される。熱交換器組立１８が所定の部位に配置された状態で、前記長辺用端板２２の突出片端部が熱交取付け板２３の掛止部ｂに差し込まれていて、熱交換器組立１８の一端部が支持される。
【００３９】
図３に示す送風機２０の位置とユニット本体７の構成から、送風機２０の駆動により吸込みユニット１３ｓから吸込み口１０を介して、室内空気である熱交換空気が吸込まれる。そして、熱交換器組立１８を流通してファンケーシングＫに吸込まれ、吹出し口１２から吹出しユニット１３ｄへ吹出されることになる。
【００４０】
前記熱交換器組立１８を構成する第１〜第３の熱交換器Ｎａ〜Ｎｃにおいては、第３の熱交換器Ｎｃが熱交換空気の流通方向の最上流側に位置している。第２の熱交換器Ｎｂは、第１の熱交換器Ｎａの下流側に位置していて、第１の熱交換器Ｎａが最下流側に位置する。
【００４１】
上述したように、第１〜第３の熱交換器Ｎａ〜Ｎｃの短辺部Ｓ端部は、第１の熱交換器Ｎａが最も突出し、第２の熱交換器Ｎｂがつぎに突出し、第３の熱交換器Ｎｃが最も短い。したがって、熱交換器組立１８の短辺部Ｓは、フィンＦの並置方向の長さが、熱交換空気の流通方向上流側から下流側に向けて段階的に長くなる、前記段差部Ｄとなる。
【００４２】
図５に示すように、第１〜第３の熱交換器Ｎａ〜Ｎｃ短辺部Ｓ端面に、短辺用端板２４ａ〜２４ｃが取付けられている。各短辺用端板２４ａ〜２４ｃは、フィンＦに接する片部と、この片部の両側縁から９０°折曲される一対の折曲げ片部からなる。一対の折曲げ片部の一方は短く、他方は長く形成されていて、平面視で変形コ字状となっている。
【００４３】
なお説明すると、第１の熱交換器Ｎａに取付けられる短辺用端板２４ａは、図の左側片部が長く、右側片部が短い。第２の熱交換器Ｎｂに取付けられる短辺用端板２４ｂは、図の左側片部が短く、右側片部が長い。第３の熱交換器Ｎｃに取付けられる短辺用端板２４ｃは、図の左側片部が長く、右側片部が短い。
【００４４】
各短辺用端部２４ａ〜２４ｃにおける折曲げ片部に、互いに対向してねじ孔を備えたボス部ｃが設けられている。すなわち、第１の熱交換器Ｎａに取付けられる短辺用端板２４ａと、第３の熱交換器Ｎｃに取付けられる短辺用端板２４ｃは全く同一の構成をなし、第２の熱交換器Ｎｂに取付けられる短辺用端板２４ｂは折曲片部の長さが左右逆になる。  
これは、第１〜第３の熱交換器Ｎａ〜Ｎｃが折り曲げられる前の状態では同一形状であり、第２の熱交換器Ｎｂが、第１の熱交換器Ｎａおよび第３の熱交換器Ｎｃと天地を逆にして配置されることによる。
【００４５】
このような熱交換器組立１８の短辺部Ｓ端部を囲むようにして、箱体からなる固定体２５が取付けられる。なお説明すると、前記固定体２５の一端面は、熱交換器組立１８の短辺部Ｓ端部全体を嵌め込む大きさの開口端ｄを備え、他の側面部全ては閉塞構造をなす。固定体２５を横断面にすれば、断面形状が略コ字状となる。
【００４６】
前述したように、第１の熱交換器Ｎａの短辺部Ｓが最も長く形成されているところから、第１の熱交換器Ｎａの短辺部Ｓ端部が固定体２５の開口端ｄから最も奥側に突出する。つぎに第２の熱交換器Ｎｂの短辺部Ｓ端部が固定体２５の開口端ｄから奥側へ突出し、第３の熱交換器Ｎｃの短辺部Ｓ端部が固定体２５の開口端ｄからわずかに突出する。
【００４７】
実際には、第３の熱交換器Ｎｃを構成するフィンＦは固定体２５の開口端ｄからほとんど内部に位置しないが、端板２４から突出する熱交換パイプＰと端板２４の大部分は固定体２５の開口端ｄから内部に突出している。
【００４８】
ただし、固定体２５の開口面とは対向する閉塞面ｅから開口端ｄまでの長さ寸法は、熱交換空気の流通方向上流側である第３の熱交換器Ｎｃ側面と接する側面部２５ａが最も長く、下流側である第１の熱交換器Ｎａ側面と接する側面部２５ｂが最も短い。したがって、開口端ｄの平面視は熱交換空気の流通方向に対して斜めに形成される。
【００４９】
第３の熱交換器Ｎｃに設けられる短辺用端板２４ｃの外側折曲片部に、固定体２５の側面部２５ａが重なった状態で嵌め込まれる。固定体２５には取付け用孔が設けられていて、端板２４ｃ折曲片部に設けられるボス部ｃのねじ孔と連通する。取付けねじ２６が取付け用孔から挿入されてねじ孔に螺挿され、固定体２５が取付け固定される。
【００５０】
固定体２５の熱交換空気の流通方向最上流側端部である側面部２５ａが上流側固定部となる。この上流側固定部２５ａと対向する側面部２５ｂは、第１の熱交換器Ｎａの短辺部Ｓ端部に嵌め込まれていて下流側固定部となる。特に、下流側固定部２５ｂを、「シール部」と呼ぶ。
【００５１】
前記シール部２５ｂは、段差部Ｄの熱交換空気流通方向の最下流側面に取付けられることになる。シール部２５ｂの長さ寸法Ｍａは、シール部２５ｂが嵌め込まれる第１の熱交換器Ｎａと、この熱交換器Ｎａよりもひとつ上流側に位置する第２の熱交換器Ｎｂとの段差部分の長さ寸法（Ｍｂ）よりも長く形成される。（Ｍａ＞Ｍｂ）
図６は、以上述べた説明によって組立てられる熱交換器組立１８を模式的に示すとともに、ユニット本体７への取付け構造を示している。  
ユニット本体７には、先に述べた熱交取付け板２３と、たとえば発泡スチロール材である発泡成形品からなる支持部材２８が取付けられる。この支持部材２８は、前記吹出し口１２が設けられる側面板１６ｂの一方の側端隅部で、かつドレン受け皿１９上に立設される。支持部材２８は熱交換器組立１８の高さ寸法と同一である。
【００５２】
支持部材２８の幅寸法は熱交換器組立１８の幅寸法よりもわずかに大に形成される。ユニット本体７内部へ突出する支持部材２８の端面には、高さ方向に沿って凹部２８ａが設けられる。前記熱交換器組立１８の短辺部Ｓ端部に取付けられる固定体２５は支持部材２８の凹部２８ａに嵌め込まれていて、熱交換器組立１８の一端部が支持される。
【００５３】
実際には、第１〜第３の熱交換器Ｎａ〜Ｎｃを重ねるとともに、短辺部Ｓ端部に固定体２５を嵌め込み取付け固定して熱交換器組立１８を組立て、この熱交換器組立１８をユニット本体７の上方部位に運ぶ。
【００５４】
熱交換器組立１８の長辺部Ｌ端部に取付けられる長辺用端板２２の折曲片部先端を熱交取付け板２３先端に対向し、かつ短辺部Ｓ端部に嵌め込み固定される固定体２５を支持部材２８の凹部２８ａに対向する。
【００５５】
そのまま熱交換器組立１８を降下すれば、長辺用端板２２が熱交取付け板２３の掛止部ｂに差し込まれるとともに、固定体２５が支持部材２８の凹部２８ａに嵌め込まれる。熱交換器組立１８をユニット本体７内の所定部位に配置でき、この両端部は熱交取付け板２３と支持部材２８とで支持される。
【００５６】
前記支持部材２８は凹部２８ａを備えた発泡成形品であるので、熱交換器組立１８の嵌め込みにあたって、ある程度の弾性変形は可能である。そして、前記熱交取付け板２３は切起し爪からなる掛止部ｂを備えたので、熱交換器組立１８との掛止にあたって、ある程度の余裕がある。
【００５７】
直状に形成される熱交換器Ｎａ〜Ｎｃの中途部を折り曲げて、平面視でＬ字状に形成すると、折曲げ角度のズレが生じたり、折曲げた先の長さ寸法のズレが生じ易い。これに対して熱交取付け板２３と支持部材２８を備えることにより、ある程度の製作誤差を吸収して、熱交換器組立１８の確実で容易な取付けを可能とする。
【００５８】
空気調和機の室内ユニットは以上のように構成されていて、冷凍サイクル運転の開始とともに送風機２０が駆動される。ユニット本体７内部が負圧化し、吸込み口１４ｓ周辺の室内３空気が、吸込みユニット１３ｓ、吸込みダクト１１ｓおよびユニット本体７の側面板１６ａに設けられる吸込み口１０を介してユニット本体７内部に吸込まれる。
【００５９】
前記ユニット本体７内において、吸込み口１０から吸込まれた室内空気は熱交換器組立１８の長辺部Ｌを流通し、あるいは折曲げ部Ｒと短辺部Ｓを流通する。冷凍サイクル運転により、第１〜第３の熱交換器Ｎａ〜Ｎｃには冷媒が導かれていて、吸込み口１０から第１〜第３の熱交換器Ｎａ〜Ｎｃを流通する空気と熱交換する。
【００６０】
熱交換した空気は送風機２０を構成するファンケーシングＫの吸込口ａから吸込まれ、吹出し口１２から吹出される。さらに、熱交換空気は吹出しダクト１１ｄに導かれ、吹出しユニット１３ｄに集合したあと、天井吹出し口１４ｄから室内へ吹出される。すなわち、室内に対する空調作用がなされる。
【００６１】
前記熱交換器組立１８の短辺部Ｓ端部は段差部Ｄが形成されるが、ここには固定体２５が嵌め込まれ、さらに固定体２５は支持部材２８の凹部２８ａに嵌め込まれている。したがって、熱交換器組立１８の短辺部Ｓに導かれた熱交換空気の全てが、露出している短辺部ＳのフィンＦ相互間を流通する。
【００６２】
さらに、前記段差部Ｄは、断面がコ字状に折曲形成される固定体２５によって覆われ、固定されている。前記固定体２５は、最上流側端部を固定する上流側固定部２５ａと、最下流側端部を固定する下流側固定部２５ｂとを有し、前記シール部２５ｂは下流側固定部である。
【００６３】
上述したように、前記固定体２５に形成されるシール部２５ｂのフィン並置方向の長さ寸法Ｍａは、シール部２５ｂが取付けられる第１の熱交換器Ｎａと、この熱交換器Ｎａよりもひとつ上流側に位置する第２の熱交換器Ｎｂとの段差部分の長さ寸法Ｍｂよりも長く形成される。（Ｍａ＞Ｍｂ）
したがって、特に最下流側の熱交換器である第１の熱交換器Ｎａの短辺部Ｓにおいて、ひとつ上流側の熱交換器である第２の熱交換器Ｎｂの短辺部Ｓとの段差部分から１次側の生空気が２次側へ通過するのを、前記シール部２５ｂが確実に阻止する。  
熱交換器組立１８を流通する熱交換空気に対する不十分な熱交換を阻止し、結露の発生を防止して快適空調を得られ、熱交換効率の向上化を図れる。
【００６４】
固定体２５をボックス構造にして、熱交換器組立１８の短辺部Ｓ端部に形成される段差部Ｄに嵌め込み固定している。すなわち、固定体２５は段差部Ｄの左右両側面を拘束するばかりでなく、上下端面も拘束する。  
したがって、直状に形成される熱交換器の中途部を折曲げ形成することで、折曲げ角度のバラツキや、折曲げ長さのバラツキがあっても、前記固定体２５を用いることで前記バラツキを吸収して支持部材２８への取付け精度を確保できる。
【００６５】
以上の構成を採用することにより、第１〜第３の熱交換器Ｎａ〜Ｎｃを一体にした熱交換器組立１８をユニット本体７内への組み込みの作業性が向上するばかりではなく、熱交換器組立１８の取外しと分解の作業も容易となる。
【００６６】
上述した実施の形態においては、前記熱交換器組立１８の長辺部Ｌの端面を揃え、短辺部Ｓの側端部において第１〜第３の熱交換器Ｎａ〜ＮｃのフィンＦ並置方向の長さが、熱交換空気の流通方向上流側から下流側に向けて段階的に長くなるように段差部Ｄを構成したが、これに限定されるものではない。
【００６７】
すなわち、長辺部Ｌの端面においても、第１〜第３の熱交換器Ｎａ〜ＮｃのフィンＦ並置方向の長さが、熱交換空気の流通方向上流側から下流側に向けて段階的に長くなるように段差部Ｄを構成し、この段差部Ｄにおける熱交換空気流通方向の最下流側面にシール部材２５ｂを備えるようにしてもよい。
【００６８】
ここでは第１の熱交換器Ｎａと、第２の熱交換器Ｎｂおよび第３の熱交換器Ｎｃで、熱交換器組立１８が構成されるが、これに限定されるものではなく、さらに多くの、あるいは２つの熱交換器の組合せであってもよい。
【００６９】
第１〜第３の熱交換器Ｎａ〜Ｎｃは、同一形状の熱交換器を用いてＬ字状に成形したので、既存の設備を流用して製作することができる。これに対して、第１〜第３の熱交換器Ｎａ〜Ｎｃを組合せたものと同じ大きさの熱交換器を、１つの熱交換器で製造するためには、新たな製造設備を備える必要があり、製造コストの点で影響を及ぼす。
【００７０】
本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００７１】
【図１】本発明における実施の形態に係る、空気調和機の室内ユニットの据付け状態を示す図。
【図２】同実施の形態に係る、空気調和機の室内ユニットの斜視図。
【図３】同実施の形態に係る、室内ユニットの概略横断平面図。
【図４】同実施の形態に係る、熱交換器組立の斜視図。
【図５】同実施の形態に係る、熱交換器組立の一部平面図。
【図６】同実施の形態に係る、熱交換器組立のユニット本体への取付けを説明する図。
【符号の説明】
【００７２】
Ｆ…フィン、Ｐ…熱交換パイプ、Ｎａ…第１の熱交換器、Ｎｂ…第２の熱交換器、Ｎｃ…第３の熱交換器、１８…熱交換器組立、Ｄ…段差部、２５ｂ…シール部（下流側固定部）、２５…固定体、２５ａ…上流側固定部。
【図１】
2009264705.tif 000003
【図２】
2009264705.tif 000004
【図３】
2009264705.tif 000005
【図４】
2009264705.tif 000006
【図５】
2009264705.tif 000007
【図６】
2009264705.tif 000008